(57)【要約】【課題】構造が簡単で迅速に盛替え作業を行うことができ、安価で工期を短縮できるだけでなく、転用が可能なセルフクライミング足場を提供する。【解決手段】少なくとも２本の鉛直フレーム１ａと、該鉛直フレーム１ａの上下端にそれぞれ設けられた上部水平フレーム１ｃおよび下部水平フレーム１ｂから成る構造フレーム１と；構造フレーム１に一体的に取り付けられた枠組足場２と；上記構造フレーム１と上記枠組足場２から成る足場ユニットを吊り上げる吊上げ手段と；から構成される。【選択図】        図１
2004263480.tif 000002
【特許請求の範囲】
【請求項１】
少なくとも２本の鉛直フレームと、該鉛直フレームの上下端にそれぞれ設けられた上部水平フレームおよび下部水平フレームから成る構造フレームと；
上記構造フレームに一体的に取り付けられた仮設足場と；
上記構造フレームと上記仮設足場から成る足場ユニットを吊り上げる吊上げ手段と；
から構成されることを特徴とするセルフクライミング足場。
【請求項２】
上記構造フレームと仮設足場により下段および上段の各足場ユニットを構成し、これらの足場ユニットを上下に一体的に組み付けて構成したことを特徴とする請求項１に記載のセルフクライミング足場。
【請求項３】
上記仮設足場が枠組足場であることを特徴とする請求項１または２に記載のセルフクライミング足場。
【請求項４】
上記構造フレームを壁継ぎ材を介して建物構造体に支持せしめることを特徴とする請求項１、２または３に記載のセルフクライミング足場。
【請求項５】
上記壁継ぎ材が、建物構造体に固定される取付板と、該取付板から相互に間隔をもって延出する２本の継ぎ部材と、該継ぎ部材に取り付けられた外側案内部材と、Ｈ型鋼から成る上記鉛直フレームのフランジ部を上記外側案内部材との間で挟むように上記継ぎ部材に取り付けられた左右の内側案内部材から構成されることを特徴とする請求項４に記載のセルフクライミング足場。
【請求項６】
上記吊上げ手段が、建物構造体に取り付けられるブラケットフレームと、下端を上記構造フレームに取り付けられた索条と、前記ブラケットフレームに取り付けられると共に前記索条を巻き上げる巻上げ手段と、該巻上げ手段を回転駆動せしめるモータと、上記索条を受ける受けシーブから構成されることを特徴とする請求項１、２、３、４または５に記載のセルフクライミング足場。
【請求項７】
上記索条がチェーン又はワイヤーであり、上記巻上げ手段がチェーンブロック又はウインチであることを特徴とする請求項６に記載のセルフクライミング足場。
【請求項８】
上記吊上げ手段に落下防止手段を設けて、上記鉛直フレームの上昇を許し、落下を防止するように構成したことを特徴とする請求項１、２、３、４、５、６または７に記載のセルフクライミング足場。
【発明の詳細な説明】
【０００１】
【発明の属する技術分野】
本発明は、セルフクライミング足場に関する。
【０００２】
【従来の技術】
一般に、中高層の建物を構築する際の外部足場は、適用工事毎に設計・製作されていた。そのため、時間やコストがかかるだけでなく、転用ができないため、作業完了後は廃棄されていた。
また、従来の外部足場は、上階作業のための盛替えをタワークレーンにより行っていたため、その間、タワークレーンを他の揚重作業に使用することができず、工期を短縮することができなかった。
【０００３】
そこで従来、例えば、特開２００１−１０６４８６号公開公報に開示されているように、自動昇降装置に足場支持枠を取り付けて、昇降移動させるものがあった。
【０００４】
【発明が解決しようとする課題】
しかしながら、上記従来の技術は、自動昇降装置の構造が複雑かつ大型で製造および運転コストが高いだけでなく、盛替え作業が困難で時間がかかる等の問題点があった。
【０００５】
本発明は、上記従来の問題点を解決するためになされたもので、その目的とするところは、構造が簡単で迅速に盛替え作業を行うことができ、安価で工期を短縮できるだけでなく、転用が可能なセルフクライミング足場を提供することにある。
【０００６】
【課題を解決するための手段】
本発明のセルフクライミング足場は、少なくとも２本の鉛直フレームと、該鉛直フレームの上下端にそれぞれ設けられた上部水平フレームおよび下部水平フレームから成る構造フレームと；上記構造フレームに一体的に取り付けられた仮設足場と；上記構造フレームと上記仮設足場から成る足場ユニットを吊り上げる吊上げ手段と；から構成されることを特徴とする。また、上記構造フレームと仮設足場により下段および上段の各足場ユニットを構成し、これらの足場ユニットを上下に一体的に組み付けて構成したことを特徴とする。さらに、上記仮設足場が枠組足場であることを特徴とする。又更に、上記構造フレームを壁継ぎ材を介して建物構造体に支持せしめることを特徴とする。更にまた、上記壁継ぎ材が、建物構造体に固定される取付板と、該取付板から相互に間隔をもって延出する２本の継ぎ部材と、該継ぎ部材に取り付けられた外側案内部材と、Ｈ型鋼から成る上記鉛直フレームのフランジ部を上記外側案内部材との間で挟むように上記継ぎ部材に取り付けられた左右の内側案内部材から構成されることを特徴とする。また、上記吊上げ手段が、建物構造体に取り付けられるブラケットフレームと、下端を上記構造フレームに取り付けられた索条と、前記ブラケットフレームに取り付けられると共に前記索条を巻き上げる巻上げ手段と、該巻上げ手段を回転駆動せしめるモータと、上記索条を受ける受けシーブから構成されることを特徴とする。さらに、上記索条がチェーン又はワイヤーであり、上記巻上げ手段がチェーンブロック又はウインチであることを特徴とする。又更に、上記吊上げ手段に落下防止手段を設けて、上記鉛直フレームの上昇を許し、落下を防止するように構成したことを特徴とするものである。
【０００７】
【発明の実施の形態】
以下、本発明の実施の形態について、図面を参照しながら説明する。
図１は本発明のセルフクライミング足場の一実施例を示すもので、下段足場ユニットＵ１と上段足場ユニットＵ２から構成されている。各足場ユニットＵ１、Ｕ２は、構造フレーム１と枠組足場２から成る。Ｆは建物構造体である。
【０００８】
上記構造フレーム１は、少なくとも２本の鉛直フレーム１ａと、該鉛直フレーム１ａの下端に設けられた下部水平フレーム１ｂと、上記鉛直フレーム１ａの上端に設けられた上部水平フレーム１ｃから構成されている。上記下部水平フレーム１ｂ上にはベースフレーム１ｄが取り付けられていて、上記枠組足場２を受けるようになっている。
【０００９】
上記枠組足場２は、建枠（ビティ材）・足場板・筋交・手摺等からなり、必要に応じて階段が設けられる。本実施例では３列４段から成るが、これに限定するものではない。また、本発明の仮設足場は、上記枠組足場に限定するものではない。
【００１０】
次に、上記セルフクライミング足場の建方手順について、図２Ａから図２Ｄを参照しながら説明する。
まず、図２Ａに示すように、構築すべき建物の足場位置に、上記下段足場ユニットＵ１の構造フレーム１を立設する。該構造フレーム１は建物側から単管Ｐ等により支持しておく。続いて、図２Ｂに示すように、枠組足場２を組み付けて、外側から単管Ｐ等により支持する。内側の単管Ｐは撤去して、建物Ｔを構築し、上記下段足場ユニットＵ１を壁継ぎ材３により支持すると共に、外側の単管Ｐを撤去する。
【００１１】
次に、図２Ｃに示すように、上記下段足場ユニットＵ１の外側に上段足場ユニットＵ２を組み立てて、図２Ｄに示すように、クレーン等で吊り上げ、図１に示すようなセルフクライミング足場を組み立てる。
【００１２】
図３は、上記壁継ぎ材３の構造および建物Ｔの構造体Ｆや上記構造フレーム１の鉛直フレーム１ａとの連結構造を示すもので、主として取付板３ａと、該取付板３ａから相互に間隔をもって延出する２本の継ぎ部材３ｂと、該継ぎ部材３ｂに取り付けられた外側案内部材３ｃと、左右の内側案内部材３ｄから構成されている。上記取付板３ａは建物構造体Ｆ（本実施例ではバルコニー）に定着させたブラケット４にボルトにより締付け固定されている。
【００１３】
また、上記内外の案内部材３ｃおよび３ｄにより、Ｈ型鋼からなる上記鉛直フレーム１ａのフランジ部１ａ−１を案内できるように挟んでいる。なお本実施例では、上記外側案内部材３ｃをスライド継ぎ部材３ｂ−１に一体的に取り付けると共に、該スライド継ぎ部材３ｂ−１を一方の継ぎ部材３ｂに摺動自在に設けることにより、外側案内部材３ｃの位置（建物Ｔからの距離）を調整できるようになっている。３ｅおよび３ｆは、それぞれ締付け固定用ボルトである。
【００１４】
図４は、上記枠組足場２の建枠を建物構造体Ｆに支持する壁継ぎ材５を示すもので、その長さを調整出来るようになっている。
【００１５】
図５に示すように、セルフクライミング足場の高さまでの建物Ｔが構築されると、足場のクライミング（盛替え）作業を行う。クライミング作業に際しては、まず、上記壁継ぎ材５を取り外すと共に、締付け固定用ボルト３ｅを弛めて、上記鉛直フレーム１ａが上昇できるようにしておく。
【００１６】
続いて、巻上げ装置によりクライミング足場を吊り上げて上昇せしめる。図６は巻上げ装置６の構造および取付け状態を示すもので、ブラケットフレーム６ａと、下端を上記構造フレーム１に取り付けられたチェーン６ｂと、前記ブラケットフレーム６ａに取り付けられると共に前記チェーン６ｂに係合するチェーンブロック６ｃと、該チェーンブロック６ｃを回転駆動せしめて上記チェーン６ｂを巻き上げる巻上げモータ６ｄと、該チェーン６ｂを受けるチェーン受けシーブ６ｅから構成されている。
上記ブラケットフレーム６ａは下側フレーム６ａ−１と上側フレーム６ａ−２から構成されていて、相互に分離可能に連結されており、巻き上げ装置６が取り付けられている上側フレーム６ａ−２は、クライミングが完了後、下側フレーム６ａ−１から外して、次の下側フレーム（図示せず）に取り付けて使用する。上記下側フレーム６ａ−１は、押え金物６′により建物構造体Ｆに固定されている。
【００１７】
７は、本発明の落下防止手段としての安全ロックカムであって、図７から明らかなように、上記鉛直フレーム１ａのフランジ部１ａ−１の内側面に弾性的に当接していて、鉛直フレーム１ａの上昇を許し、下降（落下）を防止するようになっている。
【００１８】
８はピン受け穴であって、クライミング完了後、上記鉛直フレーム１ａのウエブ部１ａ−２に開けた穴と一致したところで、固定ピン８ａを差し込み、鉛直フレーム１ａを固定して、セルフクライミング足場の落下防止をさらに確実にする。
【００１９】
上記実施例では、セルフクライミング足場を下段ユニットＵ１と上段ユニットＵ２から構成したが、これに限定するものではなく、構造フレームと枠組足場と吊上げ手段から構成されるものであれば、いずれでもよい。
【００２０】
【発明の効果】
１）構造フレームと仮設材を組み合わせた複合構造により、必要かつ十分な強度を有する足場ユニットを構成することができる。
２）足場ユニットを上下二分割方式とすることにより、狭隘なスペースでの安全な組立作業が可能となる。
３）吊上げ手段により、足場ユニットの簡単かつ迅速なセルフクライミングを行うことができる。
４）転用が可能であるだけでなく、例えば湾曲壁面などの建物に対応できる自由度の高い足場を実現できる。
【図面の簡単な説明】
【図１】本発明のセルフクライミング足場の一実施例を示す斜視図である。
【図２Ａ】図１のセルフクライミング足場の建方順序１の説明図である。
【図２Ｂ】図１のセルフクライミング足場の建方順序２の説明図である。
【図２Ｃ】図１のセルフクライミング足場の建方順序３の説明図である。
【図２Ｄ】図１のセルフクライミング足場の建方順序４の説明図である。
【図３】壁継ぎ材の一実施例を示す説明図である。
【図４】別の壁つなぎ材の説明図である。
【図５】クライミング作業の説明図である。
【図６】吊上げ装置の一実施例を示す説明図である。
【図７】安全ロックカムの構成および作用の説明図である。
【符号の説明】
１  構造フレーム
１ａ  鉛直フレーム
１ａ−１  フランジ部
１Ａ−２  ウエブ部
１ｂ  下部水平フレーム
１ｃ  上部水平フレーム
１ｄ  ベースフレーム
２  枠組足場
３  壁継ぎ材
３ａ  取付板
３ｂ  継ぎ部材
３ｂ−１  スライド継ぎ部材
３ｃ  外側案内部材
３ｄ  内側案内部材
３ｅ  締付け固定用ボルト
３ｆ  締付け固定用ボルト
４  ブラケット
５  壁継ぎ材
６  巻上げ装置
６′押え金物
６ａ  ブラケットフレーム
６ａ−１  下側フレーム
６ａ−２  上側フレーム
６ｂ  チェーン
６ｃ  チェーンブロック
６ｄ  巻上げモータ
６ｅ  チェーン受けシーブ
７  安全ロックカム
８  ピン受け穴
８ａ  固定ピン
Ｆ  建物構造体
Ｐ  単管
Ｔ  建物
Ｕ１  下段足場ユニット
Ｕ２  上段足場ユニット
【図１】
2004263480.tif 000003
【図２Ａ】
2004263480.tif 000004
【図２Ｂ】
2004263480.tif 000005
【図２Ｃ】
2004263480.tif 000006
【図２Ｄ】
2004263480.tif 000007
【図３】
2004263480.tif 000008
【図４】
2004263480.tif 000009
【図５】
2004263480.tif 000010
【図６】
2004263480.tif 000011
【図７】
2004263480.tif 000012